(57)【要約】【課題】版交換装置及びその方法において、安全性の向上を図ると共に刷版の損傷を防止可能とする。【解決手段】刷版６１のくわえ部６１ａが版胴３２のギャップ部３２ａに係止した状態で版胴３２を回転するときに刷版６１を版胴３２に押し付け可能な版押えローラ６２を設け、第１エアシリンダ６３によりこの版押えローラ６２を刷版６１の押付位置と刷版６１から離れる離間位置とに移動可能とし、版押えローラ６２を外部から被覆する安全カバー７７を設けると共に、刷版６１のくわえ部６１ａが版胴３２のギャップ部３２ａに係止された状態で版胴３２を回転するときに刷版６１と安全カバー７７との接触を防止する刷版損傷防止手段を設ける。【選択図】      図１
2010064462.tif 000002
【特許請求の範囲】
【請求項１】
刷版の版胴への着脱操作を行う版交換装置において、
前記刷版の一端部が前記版胴のギャップ部に係止した状態で前記版胴を回転するときに前記刷版を前記版胴に押し付け可能な版押えローラと、
端部が前記版胴に装着された前記刷版に近接した位置で前記版押えローラを外部から被覆する安全カバーと、
前記刷版の一端部が前記版胴のギャップ部に係止された状態で前記版胴を回転するときに前記刷版と前記安全カバーとの接触を防止する刷版損傷防止手段と、
を備えることを特徴とする版交換装置。
【請求項２】
前記安全カバーは、印刷機のフレームに固定支持されることを特徴とする請求項１に記載の版交換装置。
【請求項３】
前記刷版損傷防止手段は、前記安全カバーに近接した位置であって、該安全カバーの外側に配置されることを特徴とする請求項１または２に記載の版交換装置。
【請求項４】
前記刷版の一端部が前記版胴のギャップ部に係止した状態で前記版胴に巻き付けられた前記刷版の他端部を前記ギャップ部に押し込む版押込ローラと、該版押込ローラを前記刷版の他端部を押し込む押込位置と刷版から離れる離間位置とに移動する版押込ローラ移動手段とを設け、前記刷版損傷防止手段として、前記版押込ローラ及び前記版押込ローラ移動手段を適用することを特徴とする請求項１から３のいずれか一つに記載の版交換装置。
【請求項５】
前記版押込ローラ移動手段は、前記版押込ローラを押込位置と離間位置との間で前記刷版と前記安全カバーとの接触を防止する版損傷防止位置とに移動停止可能であることを特徴とする請求項４に記載の版交換装置。
【請求項６】
前記版押込ローラの離間位置は、前記版押込ローラの離間位置より前記版胴から遠距離に位置することを特徴とする請求項４または５に記載の版交換装置。
【請求項７】
前記刷版の一端部が前記版胴のギャップ部に係止した状態で前記版胴に巻き付けられた前記刷版の他端部を前記ギャップ部に押し込む版押込ローラと、該版押込ローラを前記刷版の他端部を押し込む押込位置と刷版から離れる離間位置とに移動する版押込ローラ移動手段とを設け、前記安全カバーは、前記版押えローラと前記版押込ローラを外部から被覆することを特徴とする請求項１から３のいずれか一つに記載の版交換装置。
【請求項８】
刷版の一端部側を印刷機における版胴のギャップ部に係止する刷版係止ステップと、
前記刷版の一端部を前記ギャップ部に係止した状態で、前記版胴を印刷時の回転と同方向に回転させて版押えローラにより前記刷版を前記版胴に巻き付ける版巻き付けステップと、
前記版胴を正回転させて前記刷版を巻き付けるときに、前記版押えローラを外部から被覆する安全カバーと前記刷版との接触を防止しながら前記刷版を前記版胴に装着する版損傷防止ステップと、
を有することを特徴とする版交換方法。
【請求項９】
刷版の一端部側が印刷機における版胴のギャップ部に係止された状態で、前記版胴を印刷時の回転と逆方向に回転させて前記刷版を取り外す刷版取り外しステップと、
前記版胴を逆回転させて前記刷版を取り外すときに、前記版押えローラを外部から被覆する安全カバーと前記刷版との接触を防止しながら前記刷版を前記版胴から取り外す版損傷防止ステップと、
前記刷版の一端部側を前記ギャップ部から離脱させる刷版離脱ステップと、
を有することを特徴とする版交換方法。
【発明の詳細な説明】
【技術分野】
【０００１】
本発明は、版胴に対して刷版を交換可能とする版交換装置及びその方法に関するものである。
【背景技術】
【０００２】
印刷機の刷版交換時に、オペレータが補助動作をしながら、ある程度自動化して刷版交換を行なうようにした半自動版交換装置が提案されている。このような半自動版交換装置にて、刷版の取り付けにあたっては、刷版のくわえ部を版胴のギャップ部に係止させ、この状態で版押えローラによって刷版を版胴に押し付けながら版胴を正回転させることで、刷版をくわえ尻部近傍まで版胴に巻き付け、くわえ尻部をギャップ部内のくわえ尻係止部材に係止している。
【０００３】
一方、刷版の取り外しにあたっては、刷版のくわえ尻部を係止しているギャップ部内のくわえ尻係止部材を解除し、くわえ尻部をギャップ部から外方に解放する。この状態で版押えローラによって刷版を版胴に押し付けながら版胴を逆回転させることで、刷版をくわえ部近傍まで版胴から取り外し、くわえ部をギャップ部内から取外している。
【０００４】
このような従来の半自動版交換装置としては、例えば、下記特許文献１に記載されたものがある。
【０００５】
【特許文献１】特開２００８−０５５７９２号公報
【発明の開示】
【発明が解決しようとする課題】
【０００６】
従来の半自動版交換装置では、上述したように、刷版のくわえ部を版胴のギャップ部に係止させ、版押えローラにより刷版を版胴に押し付けながら版胴を正回転することで、刷版の装着または取り外しを行っている。この場合、版押えローラは、作動の迅速性やコンパクト化などから、版胴の近傍に配置されている。そのため、オペレータに対する安全性を考えると、版押えローラにカバーを設けることが望ましい。この場合、安全性を高めるためには、安全カバーにより版押えローラを被覆するだけでなく、カバーをできるだけ版胴の近傍まで延出する必要がある。
【０００７】
ところが、カバーを版胴に近づけると、刷版のくわえ部を版胴のギャップ部に係止させた状態で版胴を回転すると、刷版の剛性により刷版が撓んでカバーに接触し、版面が傷ついてしまうおそれがある。一方で、カバーを可動式にすると、エアシリンダやレールなどが必要となり、製造コストが増加してしまう。
【０００８】
本発明は上述した課題を解決するものであり、安全性の向上を図ると共に刷版の損傷を防止可能とする版交換装置及びその方法を提供することを目的とする。
【課題を解決するための手段】
【０００９】
上記の目的を達成するための請求項１の発明の版交換装置は、刷版の版胴への着脱操作を行う版交換装置において、前記刷版の一端部が前記版胴のギャップ部に係止した状態で前記版胴を回転するときに前記刷版を前記版胴に押し付け可能な版押えローラと、端部が前記版胴に装着された前記刷版に近接した位置で前記版押えローラを外部から被覆する安全カバーと、前記刷版の一端部が前記版胴のギャップ部に係止された状態で前記版胴を回転するときに前記刷版と前記安全カバーとの接触を防止する刷版損傷防止手段と、を備えることを特徴とするものである。
【００１０】
請求項２の発明の版交換装置では、前記安全カバーは、印刷機のフレームに固定支持されることを特徴としている。
【００１１】
請求項３の発明の版交換装置では、前記刷版損傷防止手段は、前記安全カバーに近接した位置であって、該安全カバーの外側に配置されることを特徴としている。
【００１２】
請求項４の発明の版交換装置では、前記刷版の一端部が前記版胴のギャップ部に係止した状態で前記版胴に巻き付けられた前記刷版の他端部を前記ギャップ部に押し込む版押込ローラと、該版押込ローラを前記刷版の他端部を押し込む押込位置と刷版から離れる離間位置とに移動する版押込ローラ移動手段とを設け、前記刷版損傷防止手段として、前記版押込ローラ及び前記版押込ローラ移動手段を適用することを特徴としている。
【００１３】
請求項５の発明の版交換装置では、前記版押込ローラ移動手段は、前記版押込ローラを押込位置と離間位置との間で前記刷版と前記安全カバーとの接触を防止する版損傷防止位置とに移動停止可能であることを特徴としている。
【００１４】
請求項６の発明の版交換装置では、前記版押込ローラの離間位置は、前記版押込ローラの離間位置より前記版胴から遠距離に位置することを特徴としている。
【００１５】
請求項７の発明の版交換装置では、前記刷版の一端部が前記版胴のギャップ部に係止した状態で前記版胴に巻き付けられた前記刷版の他端部を前記ギャップ部に押し込む版押込ローラと、該版押込ローラを前記刷版の他端部を押し込む押込位置と刷版から離れる離間位置とに移動する版押込ローラ移動手段とを設け、前記安全カバーは、前記版押えローラと前記版押込ローラを外部から被覆することを特徴としている。
【００１６】
請求項８の発明の版交換方法は、刷版の一端部側を印刷機における版胴のギャップ部に係止する刷版係止ステップと、前記刷版の一端部を前記ギャップ部に係止した状態で、前記版胴を印刷時の回転と同方向に回転させて版押えローラにより前記刷版を前記版胴に巻き付ける版巻き付けステップと、前記版胴を正回転させて前記刷版を巻き付けるときに、前記版押えローラを外部から被覆する安全カバーと前記刷版との接触を防止しながら前記刷版を前記版胴に装着する版損傷防止ステップと、を有することを特徴とするものである。
【００１７】
請求項９の発明の版交換方法は、刷版の一端部側が印刷機における版胴のギャップ部に係止された状態で、前記版胴を印刷時の回転と逆方向に回転させて前記刷版を取り外す刷版取り外しステップと、前記版胴を逆回転させて前記刷版を取り外すときに、前記版押えローラを外部から被覆する安全カバーと前記刷版との接触を防止しながら前記刷版を前記版胴から取り外す版損傷防止ステップと、前記刷版の一端部側を前記ギャップ部から離脱させる刷版離脱ステップと、を有することを特徴とするものである。
【発明の効果】
【００１８】
請求項１の発明の版交換装置によれば、刷版の一端部が版胴のギャップ部に係止した状態で版胴を回転するときに刷版を版胴に押し付け可能な版押えローラと、端部が版胴に装着された刷版に近接した位置で版押えローラを外部から被覆する安全カバーと、刷版の一端部が版胴のギャップ部に係止された状態で版胴を回転するときに刷版と安全カバーとの接触を防止する刷版損傷防止手段とを設けている。従って、版押えローラが安全カバーにより被覆されていることから、オペレータが版胴と版押えローラとの間に手などが挟まれるおそれがなく、安全性の向上を図ることができると共に、刷版の一端部が版胴のギャップ部に係止された状態で版胴を回転するときには、刷版損傷防止手段により刷版と安全カバーとの接触が防止されることから、刷版の損傷を防止することができる。
【００１９】
請求項２の発明の版交換装置によれば、安全カバーを印刷機のフレームに固定支持したので、簡単な構成で刷版の損傷を防止することができる。
【００２０】
請求項３の発明の版交換装置によれば、刷版損傷防止手段を安全カバーに近接した位置でこの安全カバーの外側に配置するので、この刷版損傷防止手段により刷版と安全カバーとの接触を適正に防止することができる。
【００２１】
請求項４の発明の版交換装置によれば、刷版の一端部が版胴のギャップ部に係止した状態で版胴に巻き付けられた刷版の他端部をギャップ部に押し込む版押込ローラと、版押込ローラを刷版の他端部を押し込む押込位置と刷版から離れる離間位置とに移動する版押込ローラ移動手段とを設け、刷版損傷防止手段として版押込ローラ及び版押込ローラ移動手段を適用するので、既存の装置により刷版と安全カバーとの接触を防止して刷版の損傷を防止することができ、装置の大型化、高コスト化を可能とすることができる。
【００２２】
請求項５の発明の版交換装置によれば、版押込ローラ移動手段により版押込ローラを押込位置と離間位置との間で刷版と安全カバーとの接触を防止する版損傷防止位置とに移動停止可能とするので、刷版の一端部が版胴のギャップ部に係止された状態で版胴を回転するときに、版押込ローラ移動手段により版押込ローラを版損傷防止位置に移動することから、この版押込ローラにより刷版が支持され、安全カバーとの接触を適正に防止することができる。
【００２３】
請求項６の発明の版交換装置によれば、版押込ローラの離間位置が版押込ローラの離間位置より版胴から遠距離に位置するので、不使用時に、版押込ローラと版胴とが十分に離間していることから、オペレータが版胴と版押込ローラとの間に手などが挟まれるおそれがなく、安全性の向上を図ることができる。
【００２４】
請求項７の発明の版交換装置によれば、刷版の一端部が版胴のギャップ部に係止した状態で版胴に巻き付けられた刷版の他端部をギャップ部に押し込む版押込ローラと、版押込ローラを刷版の他端部を押し込む押込位置と刷版から離れる離間位置とに移動する版押込ローラ移動手段とを設け、安全カバーが版押えローラと版押込ローラを外部から被覆するので、版押えローラと版押込ローラが安全カバーにより被覆されていることから、オペレータが版胴と版押えローラとの間に手などが挟まれるおそれがなく、安全性の向上を図ることができる。
【００２５】
請求項８の発明の版交換方法によれば、刷版の一端部側を印刷機における版胴のギャップ部に係止する刷版係止ステップと、刷版の一端部をギャップ部に係止した状態で版胴を正回転させて版押えローラにより刷版を版胴に巻き付ける版巻き付けステップと、版胴を正回転させて前記刷版を巻き付けるときに版押えローラを外部から被覆する安全カバーと刷版との接触を防止しながら刷版を前記版胴に装着する版損傷防止ステップとを有している。従って、版押えローラが安全カバーにより被覆されていることから、オペレータが版胴と版押えローラとの間に手などが挟まれるおそれがなく、安全性の向上を図ることができると共に、刷版の一端部が版胴のギャップ部に係止された状態で版胴を回転するときには、刷版と安全カバーとの接触が防止されることから、刷版の損傷を防止することができる。
【００２６】
請求項９の発明の版交換方法によれば、刷版の一端部側が印刷機における版胴のギャップ部に係止された状態で版胴を逆回転させて刷版を取り外す刷版取り外しステップと、版胴を逆回転させて刷版を取り外すときに版押えローラを外部から被覆する安全カバーと刷版との接触を防止しながら刷版を前記版胴から取り外す版損傷防止ステップと、刷版の一端部側をギャップ部から離脱させる刷版離脱ステップとを有している。従って、版押えローラが安全カバーにより被覆されていることから、刷版の一端部が版胴のギャップ部に係止された状態で版胴を回転するときには、刷版と安全カバーとの接触が防止されることから、刷版の損傷を防止することができる。
【発明を実施するための最良の形態】
【００２７】
以下に添付図面を参照して、本発明に係る版交換装置及びその方法の好適な実施例を詳細に説明する。なお、この実施例により本発明が限定されるものではない。
【実施例】
【００２８】
図１は、本発明の一実施例に係る版交換装置を表す概略図、図２は、本実施例の版交換装置を適用する新聞用オフセット輪転印刷機を表す概略図、図３は、本実施例の新聞用オフセット輪転印刷機における印刷ユニットの概略構成図、図４乃至図１３は、本実施例の版交換装置により版装着方法を表す概略図、図１４至図２０は、本実施例の版交換装置により版取外し方法を表す概略図である。
【００２９】
本実施例において、図２に示すように、オフセット輪転印刷機として適用された新聞用オフセット輪転印刷機は、給紙装置１１と、印刷装置１２と、ターンバー装置１３と、折機１４とから構成されている。そして、給紙装置１１には、それぞれウェブ（用紙）Ｗがロール状に巻かれた３つの巻取紙Ｒを保持する複数の保持アーム１５が設けられ、この各保持アーム１５を回動することで、巻取紙Ｒを給紙位置に回動することができる。また、この給紙装置１１には、図示しない紙継装置が設けられており、給紙位置で繰り出されている巻取紙Ｒが残り少なくなると、この紙継装置により給紙位置にある巻取紙Ｒに対して、待機位置にある巻取紙Ｒを紙継することができる。
【００３０】
また、印刷装置１２には、両面４色印刷を行う多色刷印刷ユニット１６と、両面２色印刷を行う２色刷印刷ユニット１７が設けられている。この多色刷印刷ユニット１６及び２色刷印刷ユニット１７は、給紙装置１１から供給されたウェブＷに対して所定の印刷を行うことができる。なお、本実施例では、印刷装置１２を、多色刷印刷ユニット１６と２色刷印刷ユニット１７により構成したが、この構成に限定されるものではない。例えば、両面単色印刷を行う両面単色刷ユニット、一面４色または２色印刷を行う多色刷印刷ユニットなど印刷物に応じて適宜各種ユニットを組み合わせて使用すればよい。
【００３１】
また、ターンバー装置１３には、図示しない複数のターンバーが設けられており、各印刷ユニット１６，１７から送り出された各ウェブＷの走行ルートを変更し、所定の順番に重ね合わせることができる。折機１４は、ターンバー装置１３から搬送されたウェブＷを縦折りし、所定の長さで横裁断し、更に横折りして所望の折帖を形成した後に排紙するものである。
【００３２】
従って、まず、給紙装置１１から印刷装置１２を構成する多色刷印刷ユニット１６や２色刷印刷ユニット１７にウェブＷが供給されると、各印刷ユニット１６，１７では、各ウェブＷに対して４色刷や２色刷が行われる。次に、各印刷ユニット１６，１７で印刷が施された複数のウェブＷは、ターンバー装置１３にて、走行ルートが変更されると共に、所定の順番に重ね合わせられる。そして、複数重ね合わされたウェブＷは、折機１４に搬送され、ここで縦折りされた後、横裁断され、更に横折りされて所望の折帖が形成され、羽根車により排紙コンベア上に排紙される。
【００３３】
この新聞用オフセット輪転印刷機における印刷装置１２にて、印刷ユニット１６は４色印刷が可能であるように、図３に示すように、Ｈ型のタワーユニットとなっている。この印刷ユニット１６は、墨（Black）、藍（Cyan）、紅（Magenta）、黄（yellow）ごとの４つのスタックＡ，Ｂ，Ｃ，Ｄが上下に配置されて構成されており、各ユニットＡ，Ｂ，Ｃ，Ｄは、それぞれ左右に対向して版胴２１，２２，３１，３２，４１，４２，５１，５２が対接し、各版胴２１，２２，３１，３２，４１，４２，５１，５２にブランケット胴２３，２４，３３，３４，４３，４４，５３，５４が対接し、各版胴２１，２２，３１，３２，４１，４２，５１，５２に図示しないインキ装置が設けられている。
【００３４】
この場合、スタックＡ，Ｃは、版胴２１，２２，４１，４２及びブランケット胴２３，２４，４３，４４がハの字形状に配列され、スタックＢ，Ｄは、版胴３１，３２，５１，５２及びブランケット胴３３，３４，５３，５４が逆ハの字形状に配列されている。以下に説明する本実施例の版交換装置は、スタックＢの版胴３２に対して版交換を行うものである。
【００３５】
本実施例の版交換装置は、図１に示すように、刷版６１を版胴３２に取付けるときに、オペレータが刷版６１の一端部、つまり、くわえ部６１ａを版胴３２のギャップ部３２ａに手動で係止させた後、刷版６１を版胴３２に自動で巻き付け、刷版６１の他端部、つまり、くわえ尻部６１ｂを版胴３２のギャップ部３２ａに係止させるものである。
【００３６】
即ち、本実施例の版交換装置は、刷版６１のくわえ部６１ａが版胴３２のギャップ部３２ａに係止した状態で版胴３２を回転するときにこの刷版６１を版胴３２に押し付け可能な版押えローラ６２と、この版押えローラ６２を刷版６１の押付位置と刷版３２から離れる離間位置とに移動する第１エアシリンダ（版押えローラ移動手段）６３とを有している。また、本実施例の版交換装置は、刷版３２のくわえ部６１ａが版胴３２のギャップ部３２ａに係止した状態で版胴３２に巻き付けられた刷版６１のくわえ尻部６１ｂをギャップ部３２ａに押し込む版押込ローラ６４と、この版押込ローラ６４を刷版３２のくわえ尻部６１ｂを押し込む押込位置と刷版から離れる離間位置とに移動する第２エアシリンダ（版押込ローラ移動手段）６５とを有している。
【００３７】
即ち、印刷機のフレーム７１には、版胴３２の軸方向に沿って横梁７２が延出するように固定されており、この横梁７２には、Ｌ字形状をなす取付ブラケット７３が固定されている。そして、この取付ブラケット７３には、上述した第１、第２エアシリンダ６３，６５が固定されており、この第１、第２エアシリンダ６３，６５の各駆動ロッド６３ａ，６５ａの先端部に版押えローラ６２、版押込ローラ６４がそれぞれ回転自在に装着されている。この場合、取付ブラケット７３にて、上側、つまり、横梁７２側に第１エアシリンダ６３及び版押えローラ６２が位置し、下側に第２エアシリンダ６５及び版押込ローラ６４が配置されている。
【００３８】
そして、横梁７２は、版胴３２から離れるのに伴って下方に傾斜していることから、第１エアシリンダ６３の全長（ストローク）が第２エアシリンダ６５の全長（ストローク）より短く設定されている。また、版押込ローラ６４は、版押えローラ６２よりも大きな進退移動量が必要であることから、第２エアシリンダ６５が第１エアシリンダ６３よりも下方に配置されている。そのため、版押えローラ６２が離間位置にあるとき、刷版６１の表面に近い位置にあり、版押込ローラ６４が離間位置にあるとき、刷版６１の表面から遠い位置にある。つまり、版押込ローラ６４の離間位置は、版押えローラ６２の離間位置より版胴３２から遠距離に位置することとなる。
【００３９】
また、第１エアシリンダ６３及び第２エアシリンダ６５は、制御装置７４により駆動制御可能となっている。具体的には、制御装置７４は、第１エアシリンダ６３及び第２エアシリンダ６５に対するエアの給排を制御することで、第１エアシリンダ６３は、版押えローラ６２を押付位置と離間位置とに移動可能であり、第２エアシリンダ６５は、版押込ローラ６４を押込位置と離間位置とに移動可能となっている。また、制御装置７４は、版胴３２を駆動回転可能な版胴用モータ７５を駆動制御可能となっている。
【００４０】
なお、版胴３２には、刷版６１のくわえ部６１ａ及びくわえ尻部６１ｂを挿入するギャップ３２ａが形成されており、このギャップ部３２ａには、くわえ部６１ａを係止する第１係止溝３２ｂが形成されると共に、くわえ尻部６１ｂを係止する第２係止溝３２ｃが形成されている。また、このギャップ部３２ａには、第２係止溝３２ｃに挿入されたくわえ尻部６１ｂを押さえる版押え爪３２ｄが配置されている。
【００４１】
そして、本実施例では、取付ブラケット７３に、版押えローラ６２と版押込ローラ６４との間に位置して、版胴３２に装着された刷版６１に近接した位置で版押えローラ６２を外部から被覆する安全カバー７７が固定されている。また、刷版６１のくわえ部６１ａが版胴３２のギャップ部３２ａに係止された状態で版胴３２を回転するときに刷版６１と安全カバー７７との接触を防止する刷版損傷防止手段が設けられている。
【００４２】
即ち、安全カバー７７は、基端部が取付ブラケット７３に取付けられる一方で、先端部が版胴３２（刷版６１）に接近する位置まで延出され、版押えローラ６２と版押込ローラ６４の間で、版胴３２の軸方向に沿って設けられている。この場合、版押込ローラ６４の上方には横梁７２があり、オペレータの作業空間は、版押えローラ６２より下方の空間となっている。安全カバー７７は、このオペレータの作業空間から版押えローラ６２が見えないように覆っている。本実施例にて、刷版損傷防止手段は、安全カバー７７に接近してこの安全カバーの外側に配置される版押込６４ローラ及び第２エアシリンダ６５が適用される。そして、この第２エアシリンダ６５は、版押込ローラ６４を押込位置と離間位置との間で刷版６１と安全カバー７７との接触を防止する版損傷防止位置とに移動停止可能となっている。この場合、第２エアシリンダ６５に給排する配管に開閉弁を設け、この開閉弁を開閉制御することで、内部のピストンを中間位置で停止し、版押込ローラ６４を版損傷防止位置に停止可能としている。
【００４３】
なお、版押えローラ６２の離間位置は、図１に実線で表す位置であり、押付位置を版押えローラ６２ａとして表している。また、版押込ローラ６４の離間位置は、図１に実線で表す位置であり、押込位置を版押込ローラ６４ａとして表し、版損傷防止位置を版押込ローラ６４ｂとして表している。
【００４４】
ここで、本実施例の版交換装置による刷版６１の取り付け方法及び取り外し方法について説明する。
【００４５】
制御装置７４は、刷版６１の版胴３２への取り付けにあたっては、各エアシリンダ６３，６５を駆動制御する。まず、図４に示すように、版胴用モータ７５を駆動制御することで、版胴３２を版掛け位置で停止させる。この版胴３２の版掛け位置とは、版胴３２のギャップ部３２ａが版押えローラ６２及び版押込ローラ６４よりも若干下方に若干下向きに位置する状態である。なお、７８は、後述する版逃がし装置であり、制御装置７４により駆動制御される。また、７９は、くわえ尻排出検出センサであり、検出信号が制御装置７４に入力されるようになっている。
【００４６】
次に、図５に示すように、この状態で、オペレータは版掛けを実施する。この版掛けでは、版胴３２のギャップ部３２ａ（第１係止溝３２ｂ）に、刷版６１のくわえ部６１ａを引っ掛けて係止させる。なお、この状態では、版押えローラ６２及び版押込ローラ６４は、いずれも離間位置に退避している。
【００４７】
そして、図６に示すように、この状態から、第２エアシリンダ６５を駆動して版押込ローラ６４を前進し、中間位置、つまり、版損傷防止位置で停止させる。続いて、図７に示すように、版胴３２を所定角度だけ正転させる。なお、正転とは、版胴３２に刷版６１が巻き付く方向、つまり、図６に矢印で表す反時計回り方向である。また、所定角度とは、版胴３２のギャップ部３２ａ、つまり、刷版６１のくわえ部６１ａが安全カバー７７を越えた回転位置である。
【００４８】
ここで、図８に示すように、第１エアシリンダ６３を駆動して版押えローラ６２を前進し、この版押えローラ６２が刷版６１を版胴３２の外周面に押し付ける押付位置で停止させる。一般に、刷版６１は、版胴３２に巻回する向きとは逆向きの版胴３２から離隔する方向に湾曲している。
【００４９】
そして、この状態で、版胴３２を正転させると、図９に示すように、刷版６１が版押えローラ６２に押え付けられたままで版胴３２の外周面に巻き付けられていく。このとき、版押込ローラ６４の上方には横梁７２（図１参照）があり、オペレータの作業空間は、版押込ローラ６４の下方空間となっており、この作業空間から見て版押えローラ６２が安全カバー７７により被覆されていることから、オペレータの安全が確保される。また、刷版６１は、版胴３２の外周面と安全カバー７７の端部との間を通ることとなるが、外周面が版損傷防止位置にある版押込ローラ６４により支持可能となっている。そのため、刷版６１は、多少の暴れがあっても、表面が版押込ローラ６４に支持されながら、版胴３２の外周面と安全カバー７７の端部との間を通り、版押えローラ６２に押え付けられながら版胴３２の外周面に巻き付けられる。従って、刷版６１の表面が安全カバー７７に接触することはなく、損傷が防止される。この場合、刷版６１は、版押込ローラ６４により安全カバー７７の端部と接触が防止されるものであるが、刷版６１の形状により版押込ローラ６４は常時刷版６１を支持するものではない。
【００５０】
なお、版胴３２が回転して外周面に刷版６１が巻き付けられるとき、版逃がし装置７８により刷版６１のくわえ尻部６１ｂを支持することで、周囲の他の装置に対するくわえ尻部６１ｂの接触が阻止され、このくわえ尻部６１ｂの損傷が防止される。
【００５１】
その後、図１０に示すように、版胴３２が回転して外周面に刷版６１のほとんどの部分が巻き付けられると、版逃がし装置７８を退避させる。そして、図１１に示すように、くわえ尻排出検出センサ７９が刷版６１のくわえ尻部６１ｂを検出すると、版胴３２の正転を停止させる。これにより、刷版６１のくわえ尻部６１ｂが版胴３２のギャップ部３２ａに接近する。
【００５２】
ここで、図１２に示すように、図示しないオートクランプ装置（版押え爪３２ｄ）を解除し、第２エアシリンダ６５を駆動して版押込ローラ６４を前進し、押込位置に停止させる。すると、刷版６１は、くわえ尻部６１ｂが版押込ローラ６４によりギャップ部３２ａ（第２係止溝３２ｃ）内に押し込まれる。そして、オートクランプ装置（版押え爪３２ｄ）を作動することで、刷版６１のくわえ尻部６１ｂが版押え爪３２ｄに係止され、くわえ尻部６１ｂが版胴３２のギャップ部３２ａに固定される。
【００５３】
その後、図１３に示すように、第１エアシリンダ６３を駆動して版押えローラ６２を後退し、版胴３２（刷版６１）から離れた離間位置に停止させると共に、第２エアシリンダ６５を駆動して版押込ローラ６４を後退し、版胴３２（刷版６１）から離れた離間位置に停止させる。ここで、刷版６１の版胴３２への取り付けが完了する。
【００５４】
一方、制御装置７４は、刷版６１の版胴３２への取り外しにあたっては、各エアシリンダ６３，６５を駆動制御する。まず、図１４に示すように、版胴用モータ７５を駆動制御することで、版胴３２を版取り外し位置で停止させる。この版胴３２の版取り外し位置とは、版胴３２のギャップ部３２ａが版押えローラ６２及び版押込ローラ６４よりも若干下方に若干下向きに位置する版掛け位置に近い状態である。
【００５５】
次に、図１５に示すように、第１エアシリンダ６３を駆動して版押えローラ６２を前進し、この版押えローラ６２が刷版６１を版胴３２の外周面に押し付ける押付位置で停止させる。また、第２エアシリンダ６５を駆動して版押込ローラ６４を前進し、中間位置、つまり、版損傷防止位置で停止させる。
【００５６】
この状態から、図１６に示すように、図示しないオートクランプ装置（版押え爪３２ｄ）を解除し、版押え爪３２ｄによる刷版６１のくわえ尻部６１ｂの係止を解除する。そして、この状態で、版胴３２を逆転させる。すると、図１７に示すように、版胴３２から刷版６１が巻き出されていき、このとき、くわえ尻排出検出センサ７９が刷版６１のくわえ尻部６１ｂを検出すると、版胴３２の逆転を継続する一方、くわえ尻排出検出センサ７９が刷版６１のくわえ尻部６１ｂを検出できないときは、版胴３２の逆転を停止させる。
【００５７】
このとき、版押えローラ６２が安全カバー７７により被覆されていることから、オペレータの安全が確保される。また、刷版６１は、版胴３２の外周面と安全カバー７７の端部との間を通って排出されることとなるが、外周面が版損傷防止位置にある版押込ローラ６４により支持可能となっている。そのため、刷版６１は、多少の暴れがあっても、表面が版押込ローラ６４に支持されながら、版胴３２の外周面と安全カバー７７の端部との間を通り、版押えローラ６２に押え付けられながら版胴３２の外周面に巻き付けられる。従って、刷版６１の表面が安全カバー７７に接触することはなく、損傷が防止される。
【００５８】
なお、版胴３２が回転して外周面から刷版６１が巻き出されるとき、版逃がし装置７８により刷版６１のくわえ尻部６１ｂを支持することで、版胴３２に対するくわえ尻部６１ｂの接触が防止される。
【００５９】
その後、図１９に示すように、版胴３２が回転して外周面から刷版６１のほとんどの部分が巻き出されると、版逃がし装置７８を退避させる。そして、この状態では、刷版６１は、くわえ部６１ａのみが版胴３２のギャップ部３２ａに係止され、全体が自重で垂れ下がった形になる。ここで、第１エアシリンダ６３を駆動して版押えローラ６２を後退し、版胴３２（刷版６１）から離れた離間位置に停止させると共に、第２エアシリンダ６５を駆動して版押込ローラ６４を後退し、版胴３２（刷版６１）から離れた離間位置に停止させる。
【００６０】
そして、図２０に示すように、オペレータは、版胴３２のギャップ部３２ａから刷版６１のくわえ部６１ａを取外すことで、刷版６１の版胴３２からの取り外しが完了する。
【００６１】
このように本実施例の版交換装置にあっては、刷版６１のくわえ部６１ａが版胴３２のギャップ部３２ａに係止した状態で版胴３２を回転するときに刷版６１を版胴３１に押し付け可能な版押えローラ６２を設け、第１エアシリンダ６３によりこの版押えローラ６２を刷版６１の押付位置と刷版６１から離れる離間位置とに移動可能とし、版押えローラ６２を外部から被覆する安全カバー７７を設けると共に、刷版６１のくわえ部６１ａが版胴３２のギャップ部３２ａに係止された状態で版胴３２を回転するときに刷版６１と安全カバー７７との接触を防止する刷版損傷防止手段を設けている。
【００６２】
従って、版押えローラ６２が安全カバー７７により被覆されていることから、印刷時などに、オペレータが版胴３２と版押えローラ６２との間に手などが挟まれるおそれがなく、安全性の向上を図ることができると共に、版交換時に、刷版６１のくわえ部６１ａが版胴３２のギャップ部３２ａに係止された状態で版胴３２を回転するとき、刷版損傷防止手段により刷版６１と安全カバー７７との接触が防止されることから、刷版６１の損傷を防止することができる。
【００６３】
また、本実施例の版交換装置では、刷版６１のくわえ部６１ａが版胴３２のギャップ部３２ａに係止した状態で版胴３２に巻き付けられた刷版６１のくわえ部尻６１ｂをギャップ部３２ａに押し込む版押込ローラ６４を設け、第２エアシリンダ６５によりこの版押込ローラ６４を刷版６１のくわえ部尻６１ｂを押し込む押込位置と刷版６１から離れる離間位置とに移動可能とし、刷版損傷防止手段としてこの版押込ローラ６４を適用している。従って、既存の装置により刷版６１と安全カバー７７との接触を防止して刷版６１の損傷を防止することができ、装置の大型化、高コスト化を抑制することができる。
【００６４】
そして、この場合、版押込ローラ６４及び第２エアシリンダ６５を安全カバー７７に接近して、且つ、安全カバー７７の外側に配置しており、この版押込ローラ６４により刷版６１と安全カバー７７との接触を適正に防止することができる。
【００６５】
また、本実施例の版交換装置では、第２エアシリンダ６５により版押込ローラ６４を押込位置と離間位置との間で刷版６１と安全カバー７７との接触を防止する版損傷防止位置に移動停止可能としている。従って、刷版６１のくわえ部６１ａが版胴３２のギャップ部３２ａに係止された状態で版胴３２を回転するときに、第２エアシリンダ６５により版押込ローラ６４を版損傷防止位置に移動することから、この版押込ローラ６４により刷版６１が支持され、安全カバー７７との接触を適正に防止することができる。
【００６６】
また、本実施例の版交換装置では、版押込ローラ６４の離間位置を版押えローラ６２の離間位置より版胴３２から遠距離に位置させている。従って、不使用時には、版押込ローラ６４と版胴３２とが十分に離間していることから、オペレータが版胴３２と版押込ローラとの間に手などが挟まれるおそれがなく、安全性の向上を図ることができる。
【００６７】
そして、本実施例の版交換方法によれば、上述した版交換装置を用いて刷版６１の取り付けや取り外しを行うことで、安全性を向上することができると共に、作業の信頼性を向上することができ、また、刷版６１の損傷が防止されることで、印刷品質を向上することができる。
【００６８】
なお、上述の実施例では、刷版６１の版胴３２への取り付け時に、版胴３２のギャップ部３２ａに刷版６１のくわえ部６１ａを係止させた後、まず、第２エアシリンダ６５により版押込ローラ６４を版損傷防止位置に移動してから、次に、第１エアシリンダ６３により版押えローラ６２を押付位置に移動しており、版押えローラ６２により刷版６１を押える前に版押込ローラ６４を版損傷防止位置に移動することで、刷版６１と安全カバー７７との接触が確実に防止される。但し、この手順に限定されるものではない。例えば、第１エアシリンダ６３により版押えローラ６２を押付位置に移動してから、次に、第２エアシリンダ６５により版押込ローラ６４を版損傷防止位置に移動してもよく、また、同時に移動するようにしてもよい。
【００６９】
また、上述の実施例では、刷版６１の版胴３２への取り外し時に、第１エアシリンダ６３により版押えローラ６２を押付位置に移動する同時に、第２エアシリンダ６５により版押込ローラ６４を版損傷防止位置に移動したが、版押えローラ６２を押付位置に移動してから、版押込ローラ６４を押付位置に移動したり、版押込ローラ６４を押付位置に移動してから、版押えローラ６２を押付位置に移動してもよい。
【００７０】
また、上述の実施例では、版押えローラ６２と版押込ローラ６４を設け、版押込ローラ６４を本発明の刷版損傷防止手段に適用したが、別途、刷版６１と安全カバー７７との接触を防止する刷版損傷防止機構を設けてもよい。また、この安全カバー７７により版押えローラ６２だけを被覆したが、版押えローラ６２と版押込ローラ６４の両方を安全カバーにより外部から被覆し、この安全カバーの外側に刷版支持機構を設けてもよい。更に、版押えローラ６２と版押込ローラ６４を１本のローラで兼用して、この兼用ローラを安全カバーにより外部から被覆し、この安全カバーの外側に刷版損傷防止機構を設けてもよい。
【００７１】
図２１は、本発明の変形例に係る版交換装置を表す概略図である。この変形例の版交換装置において、図２１に示すように、横梁７２の取付ブラケット７３には、版押えローラ６２と版押込ローラ６４が装着されると共に、その下方のオペレータ作業空間からこの版押えローラ６２及び版押込ローラ６４を外部から被覆する安全カバー８１が固定されている。また、刷版６１が版胴３２のギャップ部３２ａに係止された状態で版胴３２を回転するときに刷版６１と安全カバー８１との接触を防止する刷版損傷防止手段としての刷版損傷防止ローラ８２が、安全カバー８１の下方に所定距離をもってフレームに回転自在に設けられている。
【００７２】
従って、版押えローラ６２及び版押込ローラ６４が安全カバー８１により被覆されていることから、印刷時などに、オペレータが版胴３２と各ローラ６２，６４との間に手などが挟まれるおそれがなく、安全性の向上を図ることができると共に、版交換時に、刷版６１のが版胴３２のギャップ部３２ａに係止された状態で版胴３２を回転するとき、刷版損傷防止ローラ８２により刷版６１と安全カバー８１との接触が防止されることから、刷版６１の損傷を防止することができる。
【００７３】
また、上述の実施例では、刷版損傷防止手段をエアシリンダとローラにより構成したが、この構成に限定されるものではなく、例えば、エアシリンダに代えて、油圧シリンダ、エアモータ、電動モータなどを適用してもよく、また、高圧エアなどを用いて刷版６１と安全カバー７７との接触を防止するようにしてもよい。
【００７４】
また、上述の実施例では、本発明の版交換装置を印刷装置１２の印刷ユニット１６におけるスタックＢの版胴３２に対して適用したが、スタックＢの版胴３１やスタックＡ，Ｃ，Ｄの版胴２１，２２，４１，４２，５１，５２に対しても適用することができる。この場合、各版胴２１，２２，３１，３２，４１，４２，５１，５２に対するアクセス位置が相違することから、版押えローラ６２や版押込ローラ６４の移動方向にそれに応じて設定すればよいものである。
【００７５】
また、上述した実施例では、本発明の版交換装置及びその方法を新聞用オフセット輪転印刷機に適用して説明したが、商業用オフセット輪転印刷機、または、枚葉印刷機など他の印刷機に適用することもできる。
【産業上の利用可能性】
【００７６】
本発明に係る版交換装置及びその方法は、版押えローラを被覆する安全カバーを設けると共に、刷版と安全カバーとの接触を防止する刷版損傷防止手段を設けることで、安全性の向上を図ると共に刷版の損傷を防止可能とするものであり、いずれの印刷機にも適用することができる。
【図面の簡単な説明】
【００７７】
【図１】本発明の一実施例に係る版交換装置を表す概略図である。
【図２】本実施例の新聞用オフセット輪転印刷機を表す概略図である。
【図３】本実施例の新聞用オフセット輪転印刷機における印刷ユニットの概略構成図である。
【図４】本実施例の版交換装置により版装着方法を表す概略図である。
【図５】本実施例の版交換装置により版装着方法を表す概略図である。
【図６】本実施例の版交換装置により版装着方法を表す概略図である。
【図７】本実施例の版交換装置により版装着方法を表す概略図である。
【図８】本実施例の版交換装置により版装着方法を表す概略図である。
【図９】本実施例の版交換装置により版装着方法を表す概略図である。
【図１０】本実施例の版交換装置により版装着方法を表す概略図である。
【図１１】本実施例の版交換装置により版装着方法を表す概略図である。
【図１２】本実施例の版交換装置により版装着方法を表す概略図である。
【図１３】本実施例の版交換装置により版装着方法を表す概略図である。
【図１４】本実施例の版交換装置により版取外し方法を表す概略図である。
【図１５】本実施例の版交換装置により版取外し方法を表す概略図である。
【図１６】本実施例の版交換装置により版取外し方法を表す概略図である。
【図１７】本実施例の版交換装置により版取外し方法を表す概略図である。
【図１８】本実施例の版交換装置により版取外し方法を表す概略図である。
【図１９】本実施例の版交換装置により版取外し方法を表す概略図である。
【図２０】本実施例の版交換装置により版取外し方法を表す概略図である。
【図２１】本発明の変形例に係る版交換装置を表す概略図である。
【符号の説明】
【００７８】
１１  給紙装置
１２  印刷装置
１３  ターンバー装置
１４  折機
１６，１７  印刷ユニット
２１，２２，３１，３２，４１，４２，５１，５２  版胴
６１  刷版
６２  版押えローラ
６３  第１エアシリンダ
６４  版押込ローラ（刷版損傷防止手段）
６５  第２エアシリンダ（版押込ローラ移動手段、刷版損傷防止手段）
７１  フレーム
７２  横梁
７３  取付ブラケット
７４  制御装置
７５  版胴用モータ
７７，８１  安全カバー
８２  刷版損傷防止ローラ（刷版損傷防止手段）
Ｗ  ウェブ
【図１】
2010064462.tif 000003
【図２】
2010064462.tif 000004
【図３】
2010064462.tif 000005
【図４】
2010064462.tif 000006
【図５】
2010064462.tif 000007
【図６】
2010064462.tif 000008
【図７】
2010064462.tif 000009
【図８】
2010064462.tif 000010
【図９】
2010064462.tif 000011
【図１０】
2010064462.tif 000012
【図１１】
2010064462.tif 000013
【図１２】
2010064462.tif 000014
【図１３】
2010064462.tif 000015
【図１４】
2010064462.tif 000016
【図１５】
2010064462.tif 000017
【図１６】
2010064462.tif 000018
【図１７】
2010064462.tif 000019
【図１８】
2010064462.tif 000020
【図１９】
2010064462.tif 000021
【図２０】
2010064462.tif 000022
【図２１】
2010064462.tif 000023